(57)【要約】【課題】安全性を確保するとともに、作業時に容易に作業空間を作り出すことができる。【解決手段】表示装置１０は、スタンド３０を含む。スタンド３０は、複数の支柱３４、複数の支柱３４の少なくとも１つに設けられて、スタンド３０を壁などの被固定物に固定するための固定用部材４０２、複数の支柱３４の各々を支持し、下面にキャスタが取り付けられる複数の固定脚体３６、複数の支柱３４の少なくとも１つに回動可能に取り付けられ、固定用部材４０２を覆う第１位置と、固定用部材４０２を覆わない第２位置との間で回動する可動脚体３８を備える。【選択図】  図１
2019169909.tif 000002
【特許請求の範囲】
【請求項１】
表示パネルを支持するための表示パネルスタンドであって、
前記表示パネルを支持する支持部材、
前記支持部材を支持する複数の支柱、
前記複数の支柱の少なくとも１つに設けられて、前記表示パネルスタンドを被固定物に固定するための固定用部材、および
前記支持部材よりも下方に設けられ、前記複数の支柱の各々を支持し、下面にキャスタが取り付けられる複数の脚体を備え、
前記複数の脚体は、前記固定用部材の正面を覆う第１位置と、前記固定用部材の正面を覆わない第２位置との間で回動可能に設けられる可動脚体を含む、表示パネルスタンド。
【請求項２】
前記可動脚体は、当該可動脚体が前記第１位置に位置する場合に、前記固定用部材の正面を覆う被覆部材を含む、請求項１記載の表示パネルスタンド。
【請求項３】
前記可動脚体は、当該可動脚体が前記第１位置に位置する場合には、前記支持部材の下方に収納され、当該可動脚体が前記第２位置に位置する場合には、正面側に引き出される、請求項１または２記載の表示パネルスタンド。
【請求項４】
前記可動脚体は、当該可動脚体が前記第１位置に位置する場合に、前記被固定物に取り付けられた係合部材に係合して、前記表示パネルスタンドの前記被固定物から離れる方向への移動を規制するロック部材を含む、請求項１ないし３のいずれかに記載の表示パネルスタンド。
【請求項５】
前記可動脚体は、複数の前記ロック部材を含む、請求項４記載の表示パネルスタンド。
【請求項６】
前後方向に伸縮可能な棒状のガイド部材をさらに備え、
前記ガイド部材の長手方向の一方端は、前記複数の支柱の一部に固定され、
前記ガイド部材の長手方向の他方端は、前記被固定物に固定される、請求項１ないし５のいずれかに記載の表示パネルスタンド。
【請求項７】
請求項１ないし６のいずれかに記載の表示パネルスタンド、および前記表示パネルスタンドに支持される前記表示パネルを備える、表示装置。
【請求項８】
請求項１ないし６のいずれかに記載の表示パネルスタンドと、前記被固定物および前記固定用部材に固定される壁側部材とを備える、表示パネル設置ユニット。
【請求項９】
前記表示パネルスタンドの前記固定用部材が前記壁側部材に固定された状態で、互いに嵌合される第１嵌合部材および第２嵌合部材をさらに備え、
前記第１嵌合部材および前記第２嵌合部材の一方は、前記表示パネルスタンドに設けられ、
前記第１嵌合部材および前記第２嵌合部材の他方は、前記壁側部材に設けられ、
前記第１嵌合部材および前記第２嵌合部材のいずれか一方は、上下左右方向の位置調整が可能である、請求項８記載の表示パネル設置ユニット。
【発明の詳細な説明】
【技術分野】
【０００１】
この発明は、表示パネルスタンド、表示装置および表示パネル設置ユニットに関し、特にたとえば、表示パネルを支持する表示パネルスタンド、表示装置および表示パネル設置ユニットに関する。
【背景技術】
【０００２】
この種の背景技術の一例が特許文献１に開示される。この特許文献１に開示される表示装置では、ディスプレイ本体の背面側に配置され、壁面に固定された壁掛け金具によって、ディスプレイ本体が壁面に沿って配置される。
【先行技術文献】
【特許文献】
【０００３】
【特許文献１】特開２０１２−１２９７３９号公報
【特許文献１】特開平１１−３７３８９号公報
【発明の概要】
【発明が解決しようとする課題】
【０００４】
特許文献１に開示される表示装置では、表示装置の設置時またはメンテナンス時には、ディスプレイ本体の背面側に作業するための空間を作り出す必要がある。
【０００５】
しかしながら、特許文献１に開示される表示装置では、ディスプレイ本体の背面側に空間を作り出すためには、表示装置の全体を壁面から取り外す必要があり、容易に作業空間を作ることができないという問題がある。
【０００６】
また、特許文献２に開示される壁寄せスタンド装置では、床面に載置するベース板上にフレームが立設され、フレームの背面に平板が取付けられ、この平板が壁に打ち込まれたアンカーにアンカーボルトで螺着され、ディスプレイ等の機器下部に設けた取付具の凹部がフレームの支持棒に掛止されることによって、機器を壁際に設置するものがある。
【０００７】
しかしながら、特許文献２に開示される壁寄せスタンド装置では、壁寄せスタンド装置を壁に固定するためのアンカーボルトが露出した状態であり、誰でも容易にアンカーボルトを外せる状態であり、安全性に問題がある。
【０００８】
それゆえに、この発明の主たる目的は、新規な、表示パネルスタンド、表示装置および表示パネル設置ユニットを提供することである。
【０００９】
この発明の他の目的は、安全性を確保するとともに、作業時に容易に作業空間を作り出すことができる、表示パネルスタンド、表示装置および表示パネル設置ユニットを提供することである。
【課題を解決するための手段】
【００１０】
第１の発明は、表示パネルを支持するための表示パネルスタンドであって、支持部材、複数の支柱、固定用部材および複数の脚体を備える。支持部材は、表示パネルを支持する。複数の支柱は、支持部材を支持する。固定用部材は、複数の支柱の少なくとも１つに設けられて、表示パネルスタンドを被固定物に固定する。複数の脚体は、支持部材よりも下方に設けられ、複数の支柱の各々を支持し、下面にキャスタが取り付けられる。また、複数の脚体は、固定用部材の正面を覆う第１位置と、固定用部材の正面を覆わない第２位置との間で回動可能に設けられる可動脚体を含む。
【００１１】
第２の発明は、第１の発明に従属するす表示パネルスタンドであって、可動脚体は、当該可動脚体が第１位置に位置する場合に、固定用部材の正面を覆う被覆部材を含む。
【００１２】
第３の発明は、第１または第２の発明に従属する表示パネルスタンドであって、可動脚体は、当該可動脚体が第１位置に位置する場合には、支持部材の下方に収納され、当該可動脚体が第２位置に位置する場合には、正面側に引き出される。
【００１３】
第４の発明は、第１ないし第３のいずれかの発明に従属する表示パネルスタンドであって、可動脚体は、当該可動脚体が第１位置に位置する場合に、被固定物に取り付けられた係合部材に係合して、表示パネルスタンドの被固定物から離れる方向への移動を規制するロック部材を含む。
【００１４】
第５の発明は、第４の発明に従属する表示パネルスタンドであって、可動脚体は、複数のロック部材を含む。
【００１５】
第６の発明は、第１ないし第５のいずれかの発明に従属する表示パネルスタンドであって、前後方向に伸縮可能な棒状のガイド部材をさらに備え、ガイド部材の長手方向の一方端は、複数の支柱の一部に固定され、ガイド部材の長手方向の他方端は、被固定物に固定される。
【００１６】
第７の発明は、第１ないし第６のいずれかの発明に従属する表示パネルスタンドおよび表示パネルスタンドに支持される表示パネルを備える表示装置である。
【００１７】
第８の発明は、第１ないし第６のいずれかの発明に従属する表示パネルスタンドと、被固定物および固定用部材に固定される壁側部材とを備える表示パネル設置ユニットである。
【００１８】
第９の発明は、第８の発明に従属する表示パネル設置ユニットであって、表示パネルスタンドの固定用部材が壁側部材に固定された状態で、互いに嵌合される第１嵌合部材および第２嵌合部材をさらに備え、第１嵌合部材および第２嵌合部材の一方は、表示パネルスタンドに設けられ、第１嵌合部材および第２嵌合部材の他方は、壁側部材に設けられ、第１嵌合部材および第２嵌合部材のいずれか一方は、上下左右方向の位置調整が可能である。
【発明の効果】
【００１９】
この発明によれば、安全性を確保するとともに、作業時に容易に作業空間を作り出すことができる。
【図面の簡単な説明】
【００２０】
【図１】図１（Ａ）はこの発明の一実施例である表示装置の固定状態の外観の一例である。図１（Ｂ）はこの発明の一実施例である表示装置の移動可能状態の外観の一例である。
【図２】図２（Ａ）は固定状態の表示装置を正面から見た図解図である。図２（Ｂ）は移動可能状態の表示装置を正面から見た図解図である。
【図３】図３（Ａ）は固定状態の表示装置を左側面から見た図解図である。図３（Ｂ）は前面側に移動された状態の表示装置を左側面から見た図解図である。
【図４】図４（Ａ）は固定状態の脚体の構成を示す平面図である。図４（Ｂ）は移動可能状態の脚体の構成を示す平面図である。
【図５】図５は位置調整部材の構成を示す斜視図である。
【図６】図６（Ａ）は位置調整部材の構成を示す正面図である。図６（Ｂ）は図６（Ａ）のVI（Ｂ）−VI（Ｂ）断面図である。図６（Ｃ）は図６（Ａ）のVI（Ｃ）−VI（Ｃ）断面図である。
【図７】図７（Ａ）は嵌合部材がアジャスタに嵌合する前の位置調整機構の構成を示す概略断面図である。図７（Ｂ）は嵌合部材がアジャスタに嵌合された場合の位置調整機構の構成を示す概略断面図である。
【図８】図８（Ａ）は嵌合部材がアジャスタに嵌合された場合の位置調整機構の構成を示す概略断面図である。図８（Ｂ）は嵌合部材がアジャスタに嵌合された場合の位置調整機構の構成を示す概略断面図である。
【図９】図９（Ａ）は第２実施例における固定状態の表示装置の構成を示す平面図である。図９（Ｂ）は第２実施例における前面側に移動された状態の表示装置の構成を示す平面図である。
【図１０】図１０は第３実施例における表示装置を正面から見た図解図である。
【発明を実施するための形態】
【００２１】
［第１実施例］
図１（Ａ）はこの発明の一実施例である表示装置１０の固定状態の外観の一例である。図１（Ｂ）はこの発明の一実施例である表示装置１０の移動可能状態の外観の一例である。図２（Ａ）は固定状態の表示装置１０を正面から見た図解図である。図２（Ｂ）は移動可能状態の表示装置１０を正面から見た図解図である。図３（Ａ）は固定状態の表示装置１０を左側面から見た図解図である。図３（Ｂ）は前面側に移動された状態の表示装置１０を左側面から見た図解図である。図４（Ａ）は固定状態の可動脚体３８の構成を示す平面図である。図４（Ｂ）は移動可能状態の可動脚体３８の構成を示す平面図である。
【００２２】
この発明の第１実施例である表示装置１０は、駅および空港などの公共施設、商業施設または娯楽施設などの公共スペースの柱または壁に設置される。ただし、表示装置１０が設けられる場所は特に限定されないことを予め指摘しておく。
【００２３】
図１（Ａ）、図１（Ｂ）、図２（Ａ）、図２（Ｂ）、図３（Ａ）および図３（Ｂ）に示すように、表示装置１０は、表示パネル２０、表示パネルスタンド（以下、単に「スタンド」ということがある。）３０および壁側ユニット５０を含む。
【００２４】
なお、この明細書では、表示パネル２０の表示面側を前面（正面）として表示装置１０の構成部材の前後方向（奥行方向）を規定し、表示装置１０の構成部材の左右方向（横方向）は、正面から見た状態を基準として規定する。
【００２５】
表示パネル２０は、たとえばＬＥＤディスプレイであり、ＬＥＤディスプレイは、複数のＬＥＤ素子を格子状（マトリクス状）に配置しておき、任意のＬＥＤ素子を点灯させることによって画像を表示する。なお、図示は省略するが、表示パネル２０の背面には、ＬＥＤディスプレイの表示制御を実行するための制御装置または／およびコンピュータなどが設けられる。
【００２６】
スタンド３０は、表示パネル２０を支持するための支持台である。このスタンド３０は、支持フレーム３２、複数の支柱３４、複数の固定脚体３６、複数の可動脚体３８、固定用フレーム４０および複数のガイドレール４２を含む。
【００２７】
支持フレーム（支持部材）３２は、左右方向（床面と平行）に延びる棒状の部材である。この支持フレーム３２の上端面が表示パネル２０の支持面として機能し、表示パネル２０がスタンド３０に乗せられた場合に、表示パネル２０の下端部を支持する。この支持フレーム３２の左右方向の大きさ（長さ）は、表示パネル２０の左右方向の大きさと略同じまたは表示パネル２０よりも少し大きく設定される。また、支持フレーム３２の前端面は、表示パネル２０の前端面（表示面）と同じ面になるか、表示パネル２０の前端面よりも背面側に設定される。
【００２８】
複数の支柱３４の各々は、たとえば四角柱状、円柱状または円筒状に形成され、上下方向（床面に対して垂直）に延びる部材である。この第１実施例では、スタンド３０は、４つの支柱３４ａ〜３４ｄを含む。支柱３４ａは、スタンド３０の右端（表示パネル２０の右端位置）に配置され、支柱３４ｂは、スタンド３０の中央右寄りに配置され、支柱３４ｃは、スタンド３０の中央左寄りに配置され、支柱３４ｄは、スタンド３０の左端に配置される。また、支柱３４ａ〜３４ｄには、ボルト等の締結部材または溶接等によって、支持フレーム３２が取り付けられる。さらに、図示は省略するが、支柱３４ａ〜３４ｄには、締結部材などによって直接または間接的に支持フレーム３２に載置された表示パネル２０が固定される。以下、支柱３４ａ〜３４ｄを特に区別しない場合には単に「支柱３４」と言うことがある。
【００２９】
固定脚体３６は、少なくとも支持フレーム３２よりも下側に配置され、複数の支柱３４の各々の下端部に設けられる。固定脚体３６は、固定脚体用のフレームおよびキャスタ３６２を含む。固定脚体用のフレームは、前後方向に延びる棒状の部材と、平板状の部材とによって構成される。棒状の部材は、支柱３４の下端面に取り付けられる（固定される）。また、平板状の部材は、棒状の部材の左右いずれかの側面、および棒状の部材の側面に連続する支柱３４の側面に取り付けられる。キャスタ３６２は、支柱３４の軸線（床面に対して垂直な軸線）周りに回転可能な車輪であり、フレームの下面に取り付けられる。また、キャスタ３６２は、表示パネル２０およびスタンド３０の重心位置よりも背面側（壁面側）に配置される。
【００３０】
可動脚体３８は、少なくとも支持フレーム３２よりも下側に配置され、支柱３４または支柱３４の下端部に設けられる固定脚体３６に回動可能に取り付けられる。この第１実施例では、スタンド３０は、２つの可動脚体３８を含む。具体的には、２つの可動脚体３８の一方は、スタンド３０の左右方向の中央右寄りに配置される支柱３４ｂに取り付けられ、２つの可動脚体３８の他方は、スタンド３０の左右方向の中央左寄りに配置される支柱３４ｃに取り付けられる。
【００３１】
この可動脚体３８は、可動脚体用のフレームおよびキャスタ３８２を含む。可動脚体用のフレームは、枠部材と、枠部材に固定され、板部材（被覆部材に相当）３８４とによって構成される。枠部材は、同一平面上において略直角三角形を形成する。また、枠部材は、直角をなす２辺のうちの一方の辺（第１辺）が、支柱３４に沿うように配置され、直角をなす２辺のうちの他方の辺（第２辺）が、斜辺よりも下側になるように配置される。板部材３８４は、枠部材の三角形の内側の略全体を覆うように設けられる。
【００３２】
キャスタ３８２は、支柱３４の軸線周りに回転可能な車輪であり、可動脚体用のフレームの下面に取り付けられる。具体的には、キャスタ３８２は、可動脚体用のフレームを構成する枠部材の第２辺の下面に取り付けられる。ただし、キャスタ３８２は、可動脚体用のフレームの下面のうち、当該可動脚体用のフレームの先端部（枠部材の第１辺の反対側、あるいは支柱３４または蝶番の反対側）に配置される。
【００３３】
また、可動脚体用のフレームは、枠部材の第１辺の上下二箇所に取り付けられた蝶番によって支柱３４に固定される。蝶番は、支柱３４に固定される支柱側のプレートと、支柱側のプレートに対して回動可能に連結され、可動脚体用のフレームの枠部材に固定される可動脚体側のプレートとを有する。このため、可動脚体３８は、蝶番によって支柱３４に対して回動可能に支持される。
【００３４】
ただし、可動脚体３８は、可動脚体用のフレーム（板部材３８４）が壁面または表示パネル２０の表示面と略平行になる第１位置と可動脚体用のフレームが壁面または表示パネル２０の表示面に対して略垂直になる第２位置との間で回動する。すなわち、可動脚体３８は、上（下）から見た場合に、壁面と平行な角度から壁面に垂直な角度までの９０°の範囲内で回動可能である。
【００３５】
図１（Ａ）、図２（Ａ）および図３（Ａ）に示すように、可動脚体３８が第１位置に位置する場合には、可動脚体３８は、支持フレーム３２（表示パネル２０）の下方に収納される。具体的には、可動脚体３８が第１位置に位置する場合には、可動脚体用のフレームおよびキャスタ３８２が、支持フレーム３２の前端面（表示パネル２０の表示面）よりも壁面側（背面側）に位置する。また、可動脚体３８が第１位置に位置する場合には、可動脚体用のフレームが支柱３４の側面に当接することによって、可動脚体３８の壁面側への回動が規制される。
【００３６】
図１（Ｂ）、図２（Ｂ）および図３（Ｂ）に示すように、可動脚体３８が第２位置に位置する場合には、可動脚体３８の一部が前面側（壁面とは反対側）に引き出される。具体的には、可動脚体３８が第２位置に位置する場合には、可動脚体用のフレームの先端部およびキャスタ３８２が、支持フレーム３２の前端面（表示パネル２０の表示面）よりも前方に位置する。このとき、キャスタ３８２は、表示パネル２０およびスタンド３０の重心位置よりも前面側に位置する。また、可動脚体３８が第２位置に位置する場合には、可動脚体用のフレームが、蝶番を介して隣接する固定脚体用のフレームに当接することによって、可動脚体３８の当該固定脚体３６側への回動が規制される。
【００３７】
図１（Ａ）、図１（Ｂ）、図２（Ａ）、図２（Ｂ）、図３（Ａ）および図３（Ｂ）に戻って、固定用フレーム４０は、少なくとも支持フレーム３２よりも下側に配置され、フレーム本体と、固定用部材（ブラケット）４０２を含む。フレーム本体は、左右方向に延びる棒状の部材であり、ボルト等の締結部材または溶接等によって、支柱３４ａ〜３４ｄおよび／または固定脚体３６に固定される。固定用部材４０２は、フレーム本体に取り付けられた板部材であり、挿通孔が形成される。図示は省略するが、この挿通孔にボルト（壁固定ボルト）などの締結部材が前面側から挿通され、壁固定ボルトが壁側ユニット５０に設けられた締結用のねじ孔にねじ止めされることによって、固定用部材４０２が壁側ユニット５０に固定される。すわなち、スタンド３０が柱または壁などの被固定物に固定される。
【００３８】
ただし、図１（Ａ）および図２（Ａ）に示すように、固定用部材４０２は、可動脚体３８が第１位置に位置する場合の可動脚体用のフレーム（板部材３８４）の背面（真後ろ）に配置される。すなわち、固定用部材４０２は、可動脚体用のフレームと前後方向において重なる。このため、固定用部材４０２は、可動脚体３８が第１位置に位置する場合には、その正面が可動脚体３８によって覆われた状態となる。したがって、可動脚体３８が第１位置に位置する場合には、固定用部材４０２に挿通される壁固定ボルトも可動脚体３８によって覆われた状態となるので、壁固定ボルトを外すことができない。
【００３９】
一方、図１（Ｂ）および図２（Ｂ）に示すように、可動脚体３８が第２位置に位置する場合には、固定用部材４０２の正面が覆われずに、固定用部材４０２および壁固定ボルトは、露出した状態となる。すなわち、固定用部材４０２は、可動脚体用のフレームと前後方向において重ならない。したがって、可動脚体３８が第２位置に位置する場合には、壁固定ボルトを外すことができる。
【００４０】
図１（Ａ）、図１（Ｂ）、図３（Ａ）および図３（Ｂ）に示すように、ガイドレール４２は、壁面に対して垂直な方向（前後方向）に伸縮可能な棒状の部材であって、スタンド３０と、壁側ユニット５０または壁との間に設けられる。具体的には、ガイドレール４２の一方端は、支柱３４に固定され、ガイドレール４２の他方端は、壁側ユニット５０または壁に固定される。また、ガイドレール４２は、少なくとも表示パネル２０およびスタンド３０の重心位置よりも上側に設けられる。たとえば、ガイドレール４２は、スタンド３０の上端部に設けられる。したがって、スタンド３０が前面側に移動されると、ガイドレール４２は伸長する。一方、スタンド３０が壁側に移動されると、ガイドレール４２は収縮する。この第１実施例では、スタンド３０は、２つのガイドレール４２を含む。２つのガイドレール４２のうちの一方は、スタンド３０の右端に設けられ、２つのガイドレール４２のうちの他方は、スタンド３０の左端に設けられる。
【００４１】
壁側ユニット５０は、スタンド３０を壁に固定するためのユニットである。この壁側ユニット５０は、第１種類の支柱５２、第２種類の支柱５４および固定用フレーム（壁側部材に相当）５６を含む。
【００４２】
第１種類の支柱５２は、たとえば四角柱状、円柱状または円筒状に形成され、上下方向（支柱３４に対して平行）に延びる部材であり、壁に固定されている。ただし、第２種類の支柱５４は、複数の支柱３４のうち、可動脚体３８が取り付けられない支柱３４に対応する位置に設けられる。この第１実施例では、スタンド３０は、２つの第１種類の支柱５２ａ，５２ｂを含む。第１種類の支柱５２ａは、スタンド３０の右端の支柱３４ａに対応する位置（支柱３４ａの真後ろ）に配置され、第１種類の支柱５２ｂは、スタンド３０の左端の支柱３４ｄに対応する位置（支柱３４ｄの真後ろ）に配置される。
【００４３】
第２種類の支柱５４は、たとえば四角柱状、円柱状または円筒状に形成され、上下方向（支柱３４または第１種類の支柱５２に対して平行）に延びる部材であり、壁に固定されている。ただし、第２種類の支柱５４は、複数の支柱３４のうち、可動脚体３８が取り付けられる支柱３４に対応する位置に設けられる。この第１実施例では、スタンド３０は、２つの第２種類の支柱５４ａ，５４ｂを含む。第２種類の支柱５４ａは、スタンド３０の中央右寄りの支柱３４ｂに対応する位置（支柱３４ｂの真後ろ）に配置され、第２種類の支柱５４ｂは、スタンド３０の中央左寄りの支柱３４ｃに対応する位置（支柱３４ｃの真後ろ）に配置される。
【００４４】
固定用フレーム５６は、左右方向に延びる棒状の部材である。この固定用フレーム５６は、ボルト等の締結部材または溶接等によって、第１種類の支柱５２ａ，５２ｂおよび第２種類の支柱５４ａ，５４ｂに固定される。また、固定用フレーム５６は、スタンド３０の固定用フレーム４０に対応する位置（高さ）に配置される。図示は省略するが、固定用フレーム５６には、固定用部材４０２の挿通孔に対応する位置に設けられ、壁固定ボルトがねじ止めされるねじ孔が形成される。なお、ねじ孔は、固定用フレーム５６に固定されたナットによって形成されても良いし、固定用フレーム５６自体に形成されても良い。
【００４５】
また、図４（Ａ）および図４（Ｂ）に示すように、スタンド３０と壁側ユニット５０との間には、ロック機構６０および位置調整機構７０が設けられている。
【００４６】
ロック機構６０は、可動脚体３８に設けられるロック部材３８６と、第２種類の支柱５４に設けられる係合部材５４２とを含む。すなわち、ロック機構６０は、可動脚体３８と、当該可動脚体３８が設けられる支柱３４に対応する第２種類の支柱５４との間に設けられる。
【００４７】
ロック部材３８６は、可動脚体用のフレーム（板部材３８４）に設けられる。具体的には、ロック部材３８６は、板部材３８４に対して垂直に設けられ、先端部が折り曲げられており、上から見た場合に、断面略Ｊ字状またはＬ字状に形成される。
【００４８】
係合部材５４２は、第２種類の支柱５４の前面に設けられ、上下方向に延びる棒状の部材である、また、係合部材５４２は、ロック部材３８６に対応する位置（高さ）に設けられる。
【００４９】
図４（Ａ）に示すように、スタンド３０が壁際（固定位置）に位置し、可動脚体３８が第１位置に位置する場合には、ロック部材３８６の先端部が、係合部材５４２に係合される。すなわち、ロック機構６０がロック状態となる。このように、ロック機構６０がロック状態である場合には、スタンド３０の前面側（壁から離れる方向）への移動が規制される。
【００５０】
また、可動脚体３８が第２位置に位置する場合には、ロック部材３８６が可動脚体３８とともに回動するので、ロック部材３８６と係合部材５４２との係合が解除される。すなわち、ロック機構６０が解除（アンロック）状態となる。このように、ロック機構６０が解除状態であって、かつ、壁固定ボルトが取り外された状態であれば、スタンド３０は、前面側（壁から離れる方向）への移動が可能な状態（移動可能状態）となる。一方、ロック機構６０がロック状態であるか、または壁固定ボルトが締結された状態（固定用部材４０２が壁側ユニット５０に固定された状態）であれば、スタンド３０は、移動できない状態（固定状態）である。
【００５１】
ただし、表示装置１０の通常の使用状態では、スタンド３０が固定位置に位置され、ロック機構６０がロック状態にされ（可動脚体３８が第１位置に位置され）、壁固定ボルトで固定用部材４０２が壁側ユニット５０に固定されている。
【００５２】
このように構成した表示装置１０であれば、使用状態である表示装置１０において、可動脚体３８を第２位置に回動させてロック機構６０を解除状態にして、壁固定ボルトを取り外すことによって、スタンド３０を所定の位置（作業位置）まで前面側に移動させ、作業空間を作り出すことができる。
【００５３】
そして、作業が終了した場合には、スタンド３０を固定位置に移動させて、壁固定ボルトで固定用部材４０２を壁側ユニット５０に固定した後、可動脚体３８を第１位置に回動させてロック機構６０をロック状態にすることによって、表示装置１０を使用状態にすることができる。
【００５４】
位置調整機構７０は、位置調整部材（アジャスタ）５２２と、ガイド部材４０４（図７等参照）とを含む。この第１実施例では、アジャスタ５２２は、壁側ユニット５０に設けられ、ガイド部材４０４は、スタンド３０に設けられる。
【００５５】
図５はアジャスタ５２２の構成を示す斜視図である。図６（Ａ）はアジャスタ５２２の構成を示す正面図である。図６（Ｂ）は図６（Ａ）のVI（Ｂ）−VI（Ｂ）断面図である。図６（Ｃ）は図６（Ａ）のVI（Ｃ）−VI（Ｃ）断面図である。
【００５６】
図５および図６（Ａ）〜（Ｃ）に示すように、アジャスタ５２２は、第１部材５２４、第２部材５２６、複数の内部平板５２８、ボルト５３０ａ，５３２ａ、５３４ａ、およびナット５３０ｂ，５３２ｂ、５３４ｂを含む。ただし、アジャスタ５２２は、壁側ユニット５０において、複数の支柱３４のうち、可動脚体３８が設けられない支柱３４に対応する位置に設けられる。具体的には、アジャスタ５２２は、第１種類の支柱５２ａ，５２ｂの前面側に設けられる。
【００５７】
第１部材５２４は、正面から見た場合に略矩形状に形成される後側板と、後側板から前面側に折れ曲がる折れ曲がり部（フランジ）とを含む。具体的には、第１部材５２４の後側板は、正面から見た場合に略正方形状に形成され、上辺（下辺）が、床面に対して平行に設けられる。第１部材５２４のフランジは、後側板の上下左右に１箇所ずつ、合計４つ設けられる。各フランジの間には、切り欠き（スリット）が設けられる。すなわち、第１部材５２４は、背面側に底部を有し、前面側が開放される略四角筒状に形成される。また、図示は省略するが、第１部材５２４は、ボルト等の締結部材または溶接等によって、壁側ユニット５０に固定される。
【００５８】
また、第１部材５２４の後側板には、略円環状または略矩形状の開口端が形成される。開口端は、第１部材５２４の後側板における上下左右方向の略中央に形成される。この開口端によって、第１部材５２４の後側板には、開口が形成される。
【００５９】
さらに、第１部材５２４の上側のフランジには、ナット５３０ｂが取り付けられ、第１部材５２４の左側のフランジには、ナット５３２ｂが取り付けられ、第１部材５２４の右側のフランジには、ナット５３４ｂが取り付けられる。
【００６０】
さらにまた、第１部材５２４の上側のフランジ、右側のフランジおよび左側のフランジの各々には、ナット５３０ｂ，５３２ｂ、５３４ｂのねじ孔に対応する挿通孔が形成される。また、ナット５３０ｂには、ボルト５３０ａが螺合され、ナット５３２ｂには、ボルト５３２ａが螺合され、ナット５３４ｂには、ボルト５３４ａが螺合される。
【００６１】
さらに、第１部材５２４の下側のフランジには、後述する第２部材５２６の円柱部５２６４を挿通させるための挿通孔（ガイド孔）が形成される。
【００６２】
第２部材５２６は、正面から見た場合に略矩形状に形成される前側板と、前側板から背面側に折れ曲がる折れ曲がり部（フランジ）とを含む。具体的には、第２部材５２６の前側板は、第１部材５２４の後側板と同様に、正面から見た場合に略正方形状に形成され、上辺（下辺）が、床面に対して平行に設けられる。ただし、第２部材５２６の前側板は、第１部材５２４の後側板よりも一回り小さく形成される。第２部材５２６のフランジは、前側板の上下左右に１箇所ずつ、合計４つ設けられる。各フランジの間には、切り欠き（スリット）が設けられる。すなわち、第２部材５２６は、前面側に底部を有し、背面側が開放される四角筒状に形成され、第１部材５２４の各フランジの内側に収容される。さらに、第１部材５２４の各フランジと、第２部材５２６の各フランジとは、所定の間隔（クリアランス）をあけて平行に設けられる。
【００６３】
また、第２部材５２６の前側板には、略円環状の開口端５２６２が形成される。開口端５２６２は、第２部材５２６の前側板における上下左右方向の略中央に形成される。この開口端５２６２によって、第２部材５２６の前側板には、開口５２６ａが形成される。さらに、第２部材５２６の前側板の下辺から折れ曲がるフランジ（下側のフランジ）には、下方に向かって延出される円柱部５２６４が形成される。
【００６４】
さらにまた、第２部材５２６の上側のフランジには、ボルト５３０ａを挿通させるための挿通孔が形成され、第２部材５２６の左側のフランジには、ボルト５３２ａを挿通させるための挿通孔が形成され、第２部材５２６の右側のフランジには、ボルト５３４ａを挿通させるための挿通孔が形成される。
【００６５】
複数の内部平板５２８の各々は、略矩形状の板部材であり、第２部材５２６の各フランジのうち、ボルト５３０ａ，５３２ａ、５３４ａが挿通されるフランジの内側に１つずつ設けられる。また、複数の内部平板５２８の各々には、ボルト５３０ａ，５３２ａ、５３４ａに螺合するねじ孔が形成される。
【００６６】
そして、内部平板５２８のねじ孔にボルト５３０ａ，５３２ａ、５３４ａが螺合されることによって、第２部材５２６は、ボルト５３０ａ，５３２ａ、５３４ａおよびそれらに螺合する内部平板５２８を介して第１部材５２４に保持される。
【００６７】
また、ボルト５３０ａ，５３２ａ、５３４ａが回転されると、回転されたボルトに螺合する内部平板５２８が回転止めとなり、第２部材５２６と第１部材５２４との相対位置が変化する。たとえば、ボルト５３０ａが回転されると、第２部材５２６の上側のフランジに固定された内部平板５２８が回転止めとなり、ボルト５３０ａの回転方向に応じて、第２部材５２６が第１部材５２４に対して上側または下側に移動する。上述したように、第１部材５２４は壁側ユニット５０に固定されている。このため、ボルト５３０ａを回転させることによって、壁に対する第２部材５２６の上下方向の位置を調整することができる。同様に、ボルト５３２ａ，５３４ａを回転させることによって、壁に対する第２部材５２６の左右方向の位置を調整することができる。
【００６８】
図７（Ａ）はガイド部材４０４がアジャスタ５２２に嵌合する前の位置調整機構７０の構成を示す概略断面図である。図７（Ｂ）はガイド部材４０４がアジャスタ５２２に嵌合された場合の位置調整機構７０の構成を示す概略断面図である。図８（Ａ）はガイド部材４０４がアジャスタ５２２に嵌合された場合の位置調整機構７０の構成を示す概略断面図である。図８（Ｂ）はガイド部材４０４がアジャスタ５２２に嵌合された場合の位置調整機構７０の構成を示す概略断面図である。
【００６９】
図７（Ａ）、図７（Ｂ）、図８（Ａ）および図８（Ｂ）に示すように、ガイド部材４０４は、スタンド３０の背面側における、アジャスタ５２２に対応する位置に設けられる。具体的には、ガイド部材４０４は、スタンド３０の左右両端の支柱３４ａ，３４ｄの下端部に設けられる固定脚体３６（固定脚体用のフレーム）の背面側に設けられる。
【００７０】
ガイド部材４０４は、硬質ゴム等によって形成され、前後方向に延びる略円柱状の部材である。このガイド部材４０４は、当該ガイド部材４０４の軸線が、第２部材５２６の前側板に形成される開口５２６ａの上下左右方向の中心と同じか僅かに下側になるように配置される。
【００７１】
また、ガイド部材４０４は、背面側の端部（先端部）に向けて縮径する同心円断面を有する。すなわち、ガイド部材４０４は、先細り形状に形成される。ただし、ガイド部材４０４の先端部の外径は、開口端５２６２の内径よりも小さくなるように設定される。一方、ガイド部材４０４の後端部（前面側の端部）の外径は、開口端５２６２の内径よりも大きくなるように設定される。また、ガイド部材４０４の先端部の下端は、少なくとも開口端５２６２の下端よりも上側に位置する。
【００７２】
ただし、図７（Ａ）に示すように、スタンド３０が固定位置よりも前面側に位置する場合には、ガイド部材４０４は、第２部材５２６の開口端５２６２に嵌合されない。一方、図７（Ｂ）に示すように、スタンド３０が固定位置に位置する場合には、ガイド部材４０４は、第２部材５２６の開口端５２６２に嵌合される。また、スタンド３０が固定位置よりも前面側から固定位置に移動される場合には、ガイド部材４０４の側周面が、ガイドとして機能する。
【００７３】
さらに、図８（Ａ）および図８（Ｂ）に示すように、ガイド部材４０４の側周面には、円環状の溝４０４２が形成される。溝４０４２は、ガイド部材４０４の第２部材５２６の前側板と平行（ガイド部材４０４の周方向）に形成される。また、溝４０４２は、スタンド３０が固定位置に位置する場合に、第２部材５２６の前側板（開口端５２６２）に対応する位置に形成される。ただし、ガイド部材４０４の側周面における、溝４０４２の前後の部分の外径は、開口端５２６２の内径よりも僅かに大きくなるように設定される。また、溝４０４２の底部の外径は、開口端５２６２の内径よりも小さく設定される。
【００７４】
したがって、スタンド３０が固定位置に位置する場合には、開口端５２６２が溝４０４２に嵌まった状態となる。このため、ガイド部材４０４が第２部材５２６の開口端５２６２に嵌合されると、スタンド３０は、上下左右方向および前後方向において、ガイド部材４０４と第２部材５２６とが嵌合する位置に応じた位置で固定される。
【００７５】
上述したように、壁に対する第２部材５２６の上下左右方向の位置は調整可能であるので、第２部材５２６の上下左右方向の位置を調整することによって、固定位置におけるスタンド３０の上下左右方向の位置を調整することができる。
【００７６】
たとえば、第２部材５２６の位置は、開口５２６ａの中心がガイド部材４０４の軸線よりも僅かに上側になるように調整される。この場合、ガイド部材４０４と第２部材５２６とが嵌合すると、スタンド３０全体が僅かに上側に持ち上げられた状態で固定される。したがって、スタンド３０にかかる荷重が、キャスタ３６２，３８２だけでなく、ガイド部材４０４およびアジャスタ５２２を介して第１種類の支柱５２ａ，５２ｂにも伝達される。すなわち、スタンド３０が固定位置に位置する場合には、キャスタ３６２，３８２にかかる荷重を分散させることができる。このようにすれば、可動脚体３８を楽に回動させることができようになる。また、スタンド３０が固定位置に位置する場合に、キャスタ３６２，３８２が局部的に変形すること（へたり）を抑止ないし防止できる。さらに、ガイド部材４０４は、先細り形状に形成されるので、スタンド３０が固定位置から前面側に移動されるにつれて、キャスタ３６２，３８２に徐々に荷重がかかるようになる。このため、スタンド３０が固定位置から前面側に移動される際に、キャスタ３６２，３８２に急激に荷重がかかることを防止できる。
【００７７】
この第１実施例では、表示装置１０通常の使用状態では、可動脚体３８が第１位置に位置され、可動脚体用のフレームによって固定用部材４０２および壁固定ボルトが覆われた状態となるので、可動脚体３８を第２位置に回動させなければ、壁固定ボルトを取り外すことができない。このため、第三者によるいたずら行為等によって意図せずに壁固定ボルトが取り外されることを防止できるので、安全性を確保することができる。
【００７８】
また、第１実施例によれば、可動脚体３８を第１位置から第２位置に回動させるだけで、壁固定ボルトが露出され、壁固定ボルトを取り外すことができるようになるので、作業時に容易に作業空間を作り出すことができる。
【００７９】
さらに、第１実施例によれば、可動脚体３８が第１位置に位置する場合には、可動脚体３８は、支持フレーム３２および表示パネル２０の下方に収納されるので、可動脚体３８が表示装置１０の前を通る人の邪魔になることがない。また、スタンド３０の全体を薄型化することができるので、表示装置１０の周囲のスペースを確保することができる。
【００８０】
さらにまた、第１実施例によれば、可動脚体３８が第２位置に位置する場合には、可動脚体用のフレームの先端部およびキャスタ３８２が、正面側に引き出されるので、スタンド３０が前面側に移動され、壁から離れた状態でも、スタンド３０を安定して自立させることができる。
【００８１】
また、第１実施例では、スタンド３０がロック機構６０を備え、可動脚体３８の回動に連動して、ロック機構６０のロック状態および解除状態を切り換えられる。ここで、可動脚体３８が第２位置に位置する場合にロック機構６０が解除状態となるようにしてあるので、可動脚体３８を第２位置に回動させなければ、スタンド３０を壁から離れる方向へ移動させることができない。このため、誤ってスタンド３０が移動されることを防止して、安全性を確保することができる。
【００８２】
さらに、第１実施例では、スタンド３０と壁側ユニット５０または壁との間に設けられ、前後方向に伸縮可能なガイドレール４２が設けられるので、スタンド３０が前面側に移動され、壁から離れた状態でも、スタンド３０が転倒することを防止できる。
【００８３】
さらにまた、第１実施例では、スタンド３０を壁に固定するための壁側ユニット５０が設けられ、スタンド３０の固定用部材４０２が、壁側ユニット５０の固定用フレーム５６に固定されるので、スタンド３０を確実に壁に固定することができる。
【００８４】
なお、第１実施例では、可動脚体３８が第１位置に位置する場合には、板部材３８４によって固定用部材４０２および壁固定ボルトが覆われるようにしたが、これに限定される必要は無い。たとえば、可動脚体用のフレームの枠部材によって固定用部材４０２および壁固定ボルトが覆われるようにしても良い。
［第２実施例］
第２実施例の表示装置１０は、引出レバー４４を備える点が上述の第１実施例と異なる。その他の構成については上述の第１実施例と同様であるので、共通する部分については、同じ参照番号を付し、重複する説明は省略または簡略化する。
【００８５】
図９（Ａ）は第２実施例における固定状態の表示装置の構成を示す平面図である。図９（Ｂ）は第２実施例における前面側に移動された状態の表示装置の構成を示す平面図である。
【００８６】
図９（Ａ）および図９（Ｂ）に示すように、第２実施例では、スタンド３０は、引出レバー４４を含む。
【００８７】
引出レバー４４は、棒状の部材であり、スタンド３０の支柱３４の側面に設けられる。この第２実施例では、スタンド３０は、２つの引出レバー４４を含む。２つの引出レバー４４のうちの一方は、スタンド３０の右端の支柱３４ａに設けられ、２つの引出レバー４４のうちの他方は、スタンド３０の右端の支柱３４ｄに設けられる。ただし、引出レバー４４は、支柱３４ａおよび３４ｄの左右方向の外側の側面に設けられる。すなわち、引出レバー４４は、支柱３４ａの右側面および支柱３４ｄの左側面に設けられる。
【００８８】
図９（Ａ）に示すように、基本的には、引出レバー４４は、支柱３４に沿うように（上下方向に延びるように）設けられる（基本状態）。ただし、引出レバー４４は、下端部（基端部）において支柱３４の側面に設けられた軸部材（図示せず）に支持（軸支）されており、軸部材の軸線（引出レバー４４の基端部）を中心に、背面側に向かって９０°の範囲内で回動可能に設けられる。
【００８９】
また、引出レバー４４の上端部（先端部）には、左右から見た場合にＵ字状の溝（フック）４４２が形成される。このフック４４２は、引出レバー４４が基本状態である場合に背面側が開放し、引出レバー４４が背面側に向かって開放されると、下側（床面側）が開放するように形成される。
【００９０】
さらに、壁側ユニット５０の引出レバー４４に対応する位置には、円柱部材（ピン）５０２が設けられる。ピン５０２の外径は、フック４４２の内径（幅）よりも小さく設定される。また、ピン５０２は、左右方向に延びる部材であり、引出レバー４４の回動軸（軸部材）と略同じ高さに配置される。この第２実施例では、壁側ユニット５０は、２つのピン５０２を含む。具体的には、２つのピン５０２のそれぞれは、引出レバー４４が設けられる支柱３４ａおよび３４ｄに対応する、第１種類の支柱５２ａ，５２ｂに設けられる。
【００９１】
図９（Ｂ）に示すように、スタンド３０が所定の位置まで前面側に移動された状態で、引出レバー４４が背面側に回動されると、フック４４２がピン５０２に係合される。
【００９２】
この第２実施例によれば、スタンド３０が前面側に移動された状態で、スタンド３０の前後方向の位置を維持することができる。
【００９３】
ただし、引出レバー４４における回動軸からフック４４２までの距離（長さ）は、スタンド３０の固定位置から作業位置までの長さに合わせて設定されることが望ましい。このようにすれば、表示パネル２０の設置時またはメンテナンス時に必要な作業空間を確保した状態で、スタンド３０の前後方向の位置を維持することができる。
［第３実施例］
第３実施例の表示装置１０は、１つの可動脚体３８に複数のロック機構６０が設けられる点が上述の第１実施例と異なる。その他の部分の構成については上述の第１実施例と同様であるので、共通する部分については、同じ参照番号を付し、重複する説明は省略または簡略化する。
【００９４】
図１０は第３実施例における表示装置１０を正面から見た図解図である。図１０に示すように、第３実施例では、１つの可動脚体３８に２つのロック機構６０が設けられる。具体的には、可動脚体３８は、固定用フレーム４０よりも下側に設けられるロック機構６０Ａと、固定用フレーム４０よりも上側（表示パネル２０の背面側）に設けられるロック機構６０Ｂとを備える。
【００９５】
ロック機構６０Ａは、第１実施例で説明したロック機構６０と同じ構成であり、可動脚体用のフレームに設けられたロック部材３８６と、第２種類の支柱５４に設けられた係合部材５４２を含む。
【００９６】
一方、ロック機構６０Ｂは、可動脚体用のフレームの上端部から表示パネル２０の上下方向の略中央まで延びる延出部材３８８と、延出部材３８８の上端部に設けられるロック部材３９０とを含む。すなわち、ロック部材３９０は、表示パネル２０の上下方向の略中央に対応する位置に配置される。なお、ロック部材３９０の構成は、ロック部材３８６と同じである。また、図示は省略するが、第２種類の支柱５４には、ロック部材３９０に対応する位置に、第１実施例で説明した係合部材５４２と同様の係合部材が設けられる。
【００９７】
第３実施例によれば、１つの可動脚体３８に複数のロック機構６０が設けられるので、ロック状態において、スタンド３０の前面側への移動を確実に規制することができる。
【００９８】
なお、上述の実施例では、固定用フレーム５６にねじ孔が形成され、固定用部材４０２の挿通孔に前面側から壁固定ボルトが挿通されてねじ止めされることによって、壁にスタンド３０が固定されるようにしたが、これに限定される必要は無い。たとえば、固定用フレーム５６に壁固定ボルトが設けられており、固定用部材４０２の挿通孔に背面側から壁固定ボルトが挿通され、固定用部材４０２の前面側からナットが壁固定ボルトに螺合されることによって固定用部材４０２が固定用フレーム５６に固定されるようにしても良い。
【００９９】
また、上述の実施例を変形して、壁側ユニット５０を省略することもできる。たとえば、固定用フレーム５６に代えて、壁にめねじアンカーまたはアンカーボルトを設けるようにしても良い。この場合、壁に設けられためねじアンカーまたはアンカーボルトに固定用部材４０２がボルトまたはナット等の締結部材によって固定される。
【０１００】
さらに、上述の実施例では、スタンド３０が２つの可動脚体３８を含むようにしたが、これに限定される必要は無い。たとえば、可動脚体３８は１つだけでも良いし、３つ以上でも良い。
【０１０１】
さらにまた、上述の実施例では、可動脚体３８は、スタンド３０の左右方向の中央に配置される支柱３４ｂ，３４ｃに取り付けられるようにしたが、これに限定される必要は無い。たとえば、可動脚体３８は、スタンド３０の左右方向の両端に配置される支柱３４ａ，３４ｄに取り付けられても良い。
【０１０２】
また、上述の実施例では、可動脚体３８は、支柱３４に直接取り付けられるようにしたが、固定脚体３６を介して間接的に支柱３４に取り付けられるようにしても良い。
【０１０３】
また、上述の実施例では、アジャスタ５２２が、壁側ユニット５０に設けられ、ガイド部材４０４が、スタンド３０に設けられるようにしたが、これに限定される必要は無い。たとえば、アジャスタ５２２が、スタンド３０に設けられ、ガイド部材４０４が、壁側ユニット５０に設けられるようにしても良い。
【０１０４】
さらに、上述の実施例では、表示パネル２０がＬＥＤディスプレイである場合を例に挙げて説明したが、これに限定される必要は無い。たとえば、表示パネル２０は、液晶ディスプレイ、プラズマディスプレイおよび有機ＥＬ（Electro Luminescence）ディスプレイ等の他のディスプレイ、並びに、看板および広告板等であっても良い。
【０１０５】
さらにまた、上述の実施例では説明を省略したが、表示装置１０の使用状態では、スタンド３０を覆う化粧板が設けられることがある。たとえば、スタンド３０の前面側に設けられ、表示パネル２０の下端部から床面までの間を覆う化粧板が設けられる。この化粧板は、表示パネル２０のメンテナンス時には取り外される。
【０１０６】
また、本発明を具体的な実施例に則して説明したが、本発明は上述の実施例に限定されるものではない。上で挙げた具体的な実施例は、いずれも単なる一例であり、製品の仕様などの必要に応じて適宜変更可能である。
【符号の説明】
【０１０７】
１０  …表示装置
２０  …表示パネル
３０  …スタンド
３２  …支持フレーム
３４  …支柱
３６  …固定脚体
３８  …可動脚体
４０  …固定用フレーム
４０２…固定用部材
５０  …壁側ユニット
【図１】
2019169909.tif 000003
【図２】
2019169909.tif 000004
【図３】
2019169909.tif 000005
【図４】
2019169909.tif 000006
【図５】
2019169909.tif 000007
【図６】
2019169909.tif 000008
【図７】
2019169909.tif 000009
【図８】
2019169909.tif 000010
【図９】
2019169909.tif 000011
【図１０】
2019169909.tif 000012